(57)【要約】【課題】本発明の目的は、保守点検時の作業性を向上できるエレベーター制御盤を提供することである。【解決手段】エレベーター制御盤７は、昇降路１の内部に設けられた取付腕９と、開口面を有し、取付腕９に固定された筐体１０と、開口面に沿って水平方向に移動可能に取付腕９に支持され、開口面を閉塞及び開放する扉８と、を備えたものである。【選択図】図２
2015202948.tif 000002
【特許請求の範囲】
【請求項１】
昇降路の内部に設けられた取付腕と、
開口面を有し、前記取付腕に固定された筐体と、
前記開口面に沿って水平方向に移動可能に前記取付腕に支持され、前記開口面を閉塞及び開放する扉と、
を備えたエレベーター制御盤。
【請求項２】
前記筐体の内部に設けられた第１機器と、
前記扉の内面側に設けられ、前記開口面に沿って水平方向に移動可能に前記扉に支持された取付板と、
前記取付板に取り付けられ、前記第１機器と配線ケーブルで接続された第２機器と、
を備えた請求項１に記載のエレベーター制御盤。
【請求項３】
前記扉は、
前記開口面の開口方向から見て前記開口面の左右方向における中央から左側の範囲を移動可能な第１扉と、
前記開口面の開口方向から見て前記開口面の左右方向における中央から右側の範囲を移動可能な第２扉と、
を備え、
前記取付板は、
前記第１扉の内面側に設けられ、前記開口面の開口方向から見て前記第１扉の右側に突出するように移動可能な第１取付板と、
前記第２扉の内面側に設けられ、前記開口面の開口方向から見て前記第２扉の左側に突出するように移動可能な第２取付板と、
を備え、
前記第２機器は、前記第１取付板及び前記第２取付板のうち前記開口面が閉塞された状態で前記第１機器のより近くに位置するものに取り付けられた請求項２に記載のエレベーター制御盤。
【発明の詳細な説明】
【技術分野】
【０００１】
本発明は、エレベーター制御盤に関するものである。
【背景技術】
【０００２】
下記特許文献１には、昇降路の内部に設置されたエレベーター制御盤が記載されている。このエレベーター制御盤の筐体には、扉が設けられている。この扉は、ヒンジ等により開閉可能に取り付けられている。
【先行技術文献】
【特許文献】
【０００３】
【特許文献１】特開２０００−１５９４５２号公報
【発明の概要】
【発明が解決しようとする課題】
【０００４】
特許文献１に記載されているようなエレベーター制御盤の扉は、保守点検時にかご又は作業用の足場等と干渉する可能性がある。保守点検時に扉が周囲の構造物と干渉すると、作業者の作業スペースが制約される。また、場合によっては、扉自体をエレベーター制御盤から取り外す必要がある。このため、上記エレベーター制御盤は、保守点検時の作業性が悪い。
【０００５】
本発明は、上記の課題を解決するためになされた。その目的は、保守点検時の作業性を向上できるエレベーター制御盤を提供することである。
【課題を解決するための手段】
【０００６】
本発明に係るエレベーター制御盤は、昇降路の内部に設けられた取付腕と、開口面を有し、取付腕に固定された筐体と、開口面に沿って水平方向に移動可能に取付腕に支持され、開口面を閉塞及び開放する扉と、を備えたものである。
【発明の効果】
【０００７】
本発明において、エレベーター制御盤は、筐体の開口面に沿って水平方向に移動可能な扉を備えている。このため、本発明によれば、エレベーター制御盤の保守点検時における作業性を向上することができる。
【図面の簡単な説明】
【０００８】
【図１】本発明の実施の形態１におけるエレベーターシステムの一例を示す構成図である。
【図２】本発明の実施の形態１におけるエレベーター制御盤の斜視図である。
【図３】本発明の実施の形態１におけるエレベーター制御盤の扉をスライド移動させた状態を示す斜視図である。
【図４】本発明の実施の形態１におけるエレベーター制御盤の取付板をスライド移動させた状態を示す斜視図である。
【図５】従来のエレベーター制御盤の保守点検時の様子の第１の例を示す図である。
【図６】従来のエレベーター制御盤の保守点検時の様子の第２の例を示す図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、実施の形態１におけるエレベーターシステムの一例を示す構成図である。図１は、上下方向から見た平面図として示されている。
【００１１】
エレベーターシステムは、昇降路１及びエレベーターの出入口１ａを備えている。昇降路１の内部は、出入口１ａを介して乗場と通じている。以下、図１に示す昇降路１において、出入口１ａ側を手前、出入口１ａと対向する側を奥として方向を指定する。
【００１２】
図１に示すように、昇降路１の内部には、かご２、かご側ガイドレール３、釣合おもり４、おもり側ガイドレール５及び巻上機６が設けられている。かご側ガイドレール３、釣合おもり４、おもり側ガイドレール５及び巻上機６は、かご２と昇降路１の内壁との間に配置されている。かご２は、昇降路１の内部で手前寄りに配置されている。かご側ガイドレール３は、かご２の左右に配置されている。かご側ガイドレール３は、奥行き方向におけるかご２の中央よりも手前側に配置されている。釣合おもり４は、かご２と昇降路１の奥側の内壁との間に配置されている。おもり側ガイドレール５は、釣合おもり４の左右に配置されている。右側のおもり側ガイドレール５は、左右方向において、かご２の右端よりも左側に配置されている。巻上機６は、かご２と昇降路１の奥側の内壁との間に配置されている。巻上機６は、左側のおもり側ガイドレール５と昇降路１の左側の内壁との間に配置されている。
【００１３】
図１に示すように、昇降路１の内部には、エレベーター制御盤７が設けられている。エレベーター制御盤７は、かご２と昇降路１の右側の内壁との間に配置されている。エレベーター制御盤７は、右側のかご側ガイドレール３よりも奥側に配置されている。エレベーター制御盤７と昇降路１の奥側の内壁との間には、釣合おもり４及びおもり側ガイドレール５は配置されていない。エレベーター制御盤７は、扉８を備えている。扉８は、上下方向から見てかご２と対向する側に設けられている。
【００１４】
巻上機６には、図示しないロープが巻き掛けられている。かご２及び釣合おもり４は、ロープによって吊り下げられている。かご２及び釣合おもり４は、巻上機６が駆動することにより昇降される。かご２は、かご側ガイドレール３に導かれて昇降される。釣合おもり４は、おもり側ガイドレール５に導かれて昇降される。エレベーター制御盤７は、かご２及び釣合おもり４の昇降を制御する。
【００１５】
図２は、実施の形態１におけるエレベーター制御盤７の斜視図である。以下、図２を参照して、エレベーター制御盤７の構成を説明する。
【００１６】
エレベーター制御盤７は、取付腕９及び筐体１０を備えている。取付腕９は、昇降路１の内部に固定されている。取付腕９は、図１における昇降路１の右側の内壁に沿って長手方向が水平になるように設けられている。取付腕９の一端は、例えば、図１における右側のかご側ガイドレール３に取り付けられている。取付腕９の他端は、例えば、図１における昇降路１の奥側の内壁に取り付けられている。筐体１０は、取付腕９の下部に固定されている。つまり、筐体１０は、昇降路１の内壁に直接取り付けられているわけではない。筐体１０は、上下方向から見てかご２と対向する側に開口面を有している。図２は、扉８により開口面が閉塞された状態を示している。
【００１７】
取付腕９には、第１長穴１１が形成されている。第１長穴１１は、筐体１０の開口面の開口方向に貫通して形成されている。第１長穴１１は、取付腕９の長手方向に沿って形成されている。第１長穴１１は、開口面の開口方向から見て、左右に１つずつ形成されている。左側の第１長穴１１は、開口面の開口方向から見て開口面の左右方向における中央よりも左側に形成されている。右側の第１長穴１１は、開口面の開口方向から見て開口面の左右方向における中央よりも右側に形成されている。
【００１８】
扉８の上端付近には、第１取付穴が形成されている。扉８は、第１取付穴及び第１長穴１１を介して取付腕９に取り付けられている。扉８は、第１ボルト１２、第１座金１３及び第２座金１４を用いて取付腕９に取り付けられている。第２座金１４は、ネジ穴を有している。第１ボルト１２は、扉８の外側から順番に、第１座金１３、第１取付穴、第１長穴１１及び第２座金１４に挿入されている。扉８は、第１ボルト１２が締め付けられると取付腕９に固定される。第１ボルト１２は、緩められた状態のときに、第１長穴１１に沿って水平方向にスライド移動することが可能である。つまり、扉８は、開口面に沿って水平方向に移動可能に取付腕９に支持されている。
【００１９】
扉８は、第１扉８ａ及び第２扉８ｂを備えている。第１扉８ａ及び第２扉８ｂは、それぞれ第１取付穴を２つずつ有している。第１扉８ａは、２つの第１取付穴及び左側の第１長穴１１を介して取付腕９に取り付けられている。つまり、第１扉８ａは、開口面の開口方向から見て開口面の左右方向における中央から左側の範囲を移動可能である。第２扉８ｂは、２つの第１取付穴及び右側の第１長穴１１を介して取付腕９に取り付けられている。つまり、第２扉８ｂは、開口面の開口方向から見て開口面の左右方向における中央から右側の範囲を移動可能である。
【００２０】
扉８には、第１取付穴とは別に、第２取付穴が形成されている。第２取付穴は、扉８の上下方向において、例えば、中央付近等に形成されている。第１扉８ａの第２取付穴は、開口面の開口方向から見て右端付近に形成されている。第２扉８ｂの第２取付穴は、開口面の開口方向から見て左端付近に形成されている。
【００２１】
扉８には、取付板１５が取り付けられている。取付板１５は、扉８の内面側に設けられている。取付板１５には、第２長穴１６が形成されている。第２長穴１６は、開口面の開口方向に貫通して形成されている。第２長穴１６は、扉８の移動方向に沿って形成されている。取付板１５は、第２取付穴及び第２長穴１６を介して扉８に取り付けられている。取付板１５は、第２ボルト１７、第１座金１３及び第２座金１４を用いて扉８に取り付けられている。第２ボルト１７は、例えば、第１ボルト１２と同形状の部品である。第２ボルト１７は、扉８の外側から順番に、第１座金１３、第２取付穴、第２長穴１６及び第２座金１４に挿入されている。取付板１５は、第２ボルト１７が締め付けられると扉８に固定される。第２ボルト１７は、緩められた状態のときに、第２長穴１６に沿って水平方向にスライド移動することが可能である。つまり、取付板１５は、開口面に沿って水平方向に移動可能に扉８に支持されている。
【００２２】
取付板１５は、第１取付板１５ａ及び第２取付板１５ｂを備えている。第１取付板１５ａ及び第２取付板１５ｂは、それぞれ第２長穴１６を１つずつ有している。また、第１扉８ａ及び第２扉８ｂは、それぞれ第２取付穴を１つずつ有している。第１取付板１５ａは、第１扉８ａに取り付けられている。第１取付板１５ａは、開口面の開口方向から見て第１扉８ａの右側に突出するように移動可能である。第２取付板１５ｂは、第２扉８ｂに取り付けられている。第１取付板１５ａは、開口面の開口方向から見て第２扉８ｂの左側に突出するように移動可能である。
【００２３】
エレベーター制御盤７は、第１機器１８及び第２機器１９を備えている。第１機器１８及び第２機器１９は、例えば、制御機器又は回路等である。第１機器１８は、筐体１０の内部に設けられている。第１機器１８は、開口面の開口方向から見て右側に配置されている。第２機器１９は、第２取付板１５ｂに取り付けられている。つまり、第２機器１９は、第１取付板１５ａ及び第２取付板１５ｂのうち、開口面が閉塞された状態で第１機器１８のより近くに位置するものに取り付けられている。第２機器１９は、第１機器１８と配線ケーブル２０で接続されている。配線ケーブル２０は、第２扉８ｂ及び第２取付板１５ｂをスライド移動させても張り詰めることがない長さを有している。
【００２４】
図３は、実施の形態１におけるエレベーター制御盤７の扉８をスライド移動させた状態を示す斜視図である。図３に示すように、第１扉８ａ及び第２扉８ｂをスライド移動させることにより、筐体１０の開口面全体が開放されている。このとき、エレベーター制御盤７は、筐体１０の内部全体を確認可能な状態となっている。また、配線ケーブル２０は、張り詰めていない状態となっている。
【００２５】
図４は、実施の形態１におけるエレベーター制御盤７の取付板１５をスライド移動させた状態を示す斜視図である。図４に示すように、第２取付板１５ｂをスライド移動させることにより、第２機器１９が露出した状態となっている。このとき、配線ケーブル２０は、張り詰めていない状態となっている。
【００２６】
図５は、従来のエレベーター制御盤３０の保守点検時の様子の第１の例を示す図である。図５は、水平方向から見た側面図として示されている。図５は、昇降路１の中間部又は上部にエレベーター制御盤３０が設けられている場合を示している。この場合、作業者は、かご２の天蓋上で作業を行う。かご２の天蓋には、作業者の落下防止用の手摺３１が取り付けられている。従来のエレベーター制御盤３０の扉３２は、ヒンジ等により開閉可能に設けられたものである。図５に示すような場合、従来の扉３２は、開かれる際又は取り外される際に手摺３１と干渉する可能性があった。
【００２７】
図６は、従来のエレベーター制御盤３０の保守点検時の様子の第２の例を示す図である。図６は、水平方向から見た側面図として示されている。図６は、昇降路１の底部付近にエレベーター制御盤３０が設けられている場合を示している。この場合、作業者は、作業台３３の上で作業を行う。図６に示すような場合、従来の扉３２は、開かれる際又は取り外される際に作業台３３と干渉する可能性があった。また、扉３２が取り外された場合、作業台３３の上で扉３２を仮置きするスペースを確保する必要があった。
【００２８】
実施の形態１において、エレベーター制御盤７の扉８は、筐体１０の開口面に沿って水平方向にスライド移動することにより、開口面を閉塞及び開放する。このため、扉８は、開かれる際に周囲の構造物と干渉することがない。また、作業者は、保守点検時に扉８を取り外す必要がない。その結果、エレベーター制御盤７の保守点検時における安全性及び作業性を向上することができる。
【００２９】
実施の形態１において、扉８の内面側に設けられた取付板１５は、筐体１０の開口面に沿って水平方向にスライド移動可能に扉８に支持されている。このため、扉８の内面側に取り付けられている第２機器１９を容易に保守点検することできる。その結果、エレベーター制御盤７の保守点検時における作業性を向上することができる。
【００３０】
実施の形態１において、第２機器１９は、開口面が閉塞された状態で第１機器１８のより近くに位置する第２取付板１５ｂに取り付けられている。また、配線ケーブル２０は、第２扉８ｂ及び第２取付板１５ｂをスライド移動させても張り詰めることがない長さを有している。このため、第２扉８ｂ及び第２取付板１５ｂをスライド移動させた際に配線ケーブル２０が断線することを防止できる。また、作業者は、保守点検時に配線ケーブル２０を取り外す必要がない。その結果、エレベーター制御盤７の保守点検時における作業性を向上することができる。
【００３１】
実施の形態１では、筐体１０が取付腕９の下部に固定されている。しかしながら、扉８により開口部を閉塞することが可能であれば、筐体１０は取付腕９の他の位置に固定されていてもよい。
【００３２】
取付腕９の一端又は両端が取り付けられる場所は、エレベーターシステムのレイアウト条件に応じて変更される。取付腕９は、例えば、おもり側ガイドレール５、建築物側に設けられた他の取付腕又は昇降路１の内壁等に取り付けられてもよい。
【００３３】
実施の形態１における扉８は両開きであるが、本発明は、片開きの扉に対しても適用できる。扉８に形成される第１取付穴及び第２取付穴の数は、実施の形態１に示した数に限らない。例えば、第１取付穴が３つ以上、第２取付穴が２つ以上であってもよい。第２取付穴が形成される位置は、扉８の上下方向における中央付近に限らない。第２取付穴は、例えば、扉８の上部又は下部に形成されてもよい。
【００３４】
本発明における扉８及び取付板１５のスライド機構は、長穴及びボルト等を用いたものに限らない。本発明は、例えば、レール／ローラーガイド方式、リニアガイド方式又はリニアベアリング方式等のスライド機構によっても実現できる。
【符号の説明】
【００３５】
１  昇降路、１ａ  出入口、２  かご、３  かご側ガイドレール、４  釣合おもり、５  おもり側ガイドレール、６  巻上機、７  エレベーター制御盤、８  扉、８ａ  第１扉、８ｂ  第２扉、９  取付腕、１０  筐体、１１  第１長穴、１２  第１ボルト、１３  第１座金、１４  第２座金、１５  取付板、１５ａ  第１取付板、１５ｂ  第２取付板、１６  第２長穴、１７  第２ボルト、１８  第１機器、１９  第２機器、２０  配線ケーブル、３０  エレベーター制御盤、３１  手摺、３２  扉、３３  作業台
【図１】
2015202948.tif 000003
【図２】
2015202948.tif 000004
【図３】
2015202948.tif 000005
【図４】
2015202948.tif 000006
【図５】
2015202948.tif 000007
【図６】
2015202948.tif 000008